(57)【要約】      （修正有）【課題】肥った体格の女性の身体的特徴を考慮し、体格の良い肥った女性が着用しても美しくスリムに見える上衣を提供する。【解決手段】上衣の胴部のセンターバックを中心にした左右の片側半体を、それぞれセンターバックからフロントセンターＦＣに向かって、センター側後見頃、脇側後見頃、脇見頃、脇側前見頃１ｂ、センター側前見頃１ａの５面のパーツによって構成することにより、肥った女性が着用しても、脇も浮かず、体にフィットして美しくスリムに見せることができる。【選択図】図１
0003150107.tif 000002
【実用新案登録請求の範囲】
【請求項１】
胴部のセンターバックを中心にした左右の片側半体がそれぞれ、センターバックからフロントセンターに向かって、センター側後見頃、脇側後見頃、脇見頃、脇側前見頃、センター側前見頃の５面のパーツからなる上衣。
【請求項２】
袖付きで、袖の二の腕下側部分から脇の下部分に沿ってダーツを設けたことを特徴とする請求項１記載の上衣。
【考案の詳細な説明】
【技術分野】
【０００１】
この考案は、上衣、特に、体格の良い肥った女性が着用しても美しくスリムに見える上衣に関するものである。
【背景技術】
【０００２】
女性用上衣の一般的な要望は、着用した際に、体にフィットし、しかも美しくスリムに見えるということである。
【０００３】
立体的カッティングを適用し、着用時の窮屈感を少なくし、美しい立体的シルエットを実現し、美しくスリムに見える女性用の上衣が特許文献１に開示されている。
【０００４】
この特許文献１の上衣は、胴部のセンターバックを中心にした左右の片側半体がそれぞれ３面のパーツから構成されている。
【先行技術文献】
【特許文献】
【０００５】
実用新案登録第３１２４１９６号公報
【考案の概要】
【考案が解決しようとする課題】
【０００６】
ところで、従来の女性用上衣は、標準サイズが９号と呼ばれるサイズあるが、このサイズを基準にして、そのままサイズアップしていくと、３０号という肥った女性用のサイズでは、特に、脇の部分が浮いて、より肥って見えるという問題がある。  
【０００７】
ところが、着用時に美しくスリムに見えるようにしたいという願望は、肥った女性ほどより強いものがある。
【０００８】
そこで、この考案は、肥った体格の女性の身体的特徴を考慮し、体格の良い肥った女性が着用しても美しくスリムに見える上衣を提供することを課題とするものである。
【課題を解決するための手段】
【０００９】
この考案は、上記の課題を解決するために、胴部のセンターバックを中心にした左右の片側半体における上衣のパーツをそれぞれ、センターバックからフロントセンターに向かって、センター側後見頃、脇側後見頃、脇見頃、脇側前見頃、センター側前見頃の５面のパーツによって構成したものである。
【００１０】
この５面のパーツによって上衣を構成すると、例えば、３０号という大きな肥った体型の女性が着用しても、その身体的特徴に適応して、脇の部分が浮くことなく、美しくスリムに見える。
【００１１】
この点について、９号という標準サイズの女性の身体的特徴と、３０号という肥った女性の身体的特徴を比較して説明すると次の通りである。
【００１２】
９号の標準サイズの女性の場合、バストが８３ｃｍであり、バストの中心にした横断面の形状は、図６に示すように、脇の中心で、前後の厚みａとｂの比が１：１であり、背巾Ｗ１と前巾Ｗ２を比較すると背巾Ｗ１の方が広い。
【００１３】
このような、９号の標準サイズの女性の上衣を、例えば、図７に示すように、２枚の前見頃１１ａ、１１ｂと２枚の後見頃１２ａ、１２ｂの４面のパーツを脇の中心で縫合されるように構成した場合、身体の周囲にそれほど浮いたところがなく、体にフィットした上衣が得られる。
【００１４】
ところが、この９号のサイズと同様にして４面のパーツ１１ａ、１１ｂ、１２ａ、１２ｂによって３０号の女性の上衣を形成すると、身体的特徴が逆、即ち、３０号の女性の身体的特徴は、バストが１２０ｃｍあり、バストの中心にした横断面の形状は、図８に示すように、脇の中心で、前後の厚みａとｂの比が１：１．６で前側が厚く、しかも背巾Ｗ１と前巾Ｗ２を比較すると前巾Ｗ２の方が広いので、図９に斜線で示すように、脇の部分が大きく浮いて、より肥って見える上衣になってしまうという問題がある。
【００１５】
これに対し、この考案の上衣は、図１０に示すように、センター側後見頃２ａ、脇側後見頃２ｂ、脇見頃３、脇側前見頃１ｂ、センター側前見頃１ａの５面のパーツによって構成することにより、脇も浮かず、３０号の女性の身体的特徴に適応して、上衣が体にフィットし、美しくスリムに見える。
【００１６】
また、袖付きの上衣の場合、９号の標準体型の女性の場合には、図１１に示すように、二の腕の下の部分にたるみが少ないので、腕を上げても袖の脇の部分にツッパリ感が生じにくい。しかしながら、３０号という肥った女性の場合には、図１２に斜線で示すように（符号Ａの部分）、二の腕の下の部分にたるみがある人が多く、腕を上げた際に、袖の脇の部分につっぱり感が生じやすい。このため、袖の二の腕下側部分から脇の下部分に沿ってダーツを設けることが好ましい。
【００１７】
さらに、上記のように、４面のパーツで上衣を構成した場合、図１３に示すように、アームホールの脇の下のカーブが緩く、斜線で示す部分に隙間ができ、腕が支えるという問題が生じるが、この考案の上衣のように、５面のパーツで構成すると、図１４に示すように、体の厚みにうまく適応して、アームホールの脇の下のカーブも急カーブにすることができるので、脇の下が体から離れず、運動量がアップする。
【考案の効果】
【００１８】
この考案においては、上記のように、上衣を５面体によって形成することにより、体格の良い肥った女性が着用しても、身体から上衣が浮かないので、美しくスリムに見える。
【００１９】
また、袖の二の腕下側部分から脇の下部分に沿ってダーツを設けると、腕を上げた際における袖の脇の部分のつっぱり感を軽減させることができる。
【図面の簡単な説明】
【００２０】
【図１】この考案の実施形態の上衣の正面図である。
【図２】この考案の実施形態の上衣の背面図である。
【図３】この考案の実施形態の上衣を構成するパーツを示す分解図である。
【図４】この考案の実施形態の上衣で腕を上げた状態を示す側面図である。
【図５】この考案の実施形態の上衣の袖を構成するパーツを示す分解図である。
【図６】９号の標準体型の女性のバストライン部分の横断面図である。
【図７】９号の標準体型の女性の上衣を４面のパーツで構成した場合のバストライン部分の横断面図である。
【図８】３０号の女性のバストライン部分の横断面図である。
【図９】３０号の女性の上衣を４面のパーツで構成した場合のバストライン部分の横断面図である。
【図１０】３０号の女性の上衣を５面のパーツで構成した場合のバストライン部分の横断面図である。
【図１１】９号の標準体型の女性の身体的特徴を示す部分正面図である。
【図１２】３０号の女性の身体的特徴を示す部分正面図である。
【図１３】３０号の女性の上衣を４面のパーツで構成した場合の側面図である。
【図１４】３０号の女性の上衣を５面のパーツで構成した場合の側面図である。
【考案を実施するための形態】
【００２１】
この考案の実施形態を添付図面に基づいて具体的に説明する。
【００２２】
図１は、この考案に係る上衣を３０号の女性用に適用した正面図であり、この上衣の胴部のセンターバックＣＢを中心にした左右の片側半体が、それぞれセンターバックＣＢからフロントセンターＦＣに向かって、センター側後見頃２ａ、脇側後見頃２ｂ、脇見頃３、脇側前見頃１ｂ、センター側前見頃１ａの５面の布製のパーツによって構成されている。
【００２３】
この実施形態の上衣の５面のパーツは、図３に示すように、バストライン（ＢＬ）の部分に膨らみが設けられ、ウエストライン（ＷＬ）の部分に括れが設けられている。
【００２４】
脇側前見頃１ｂのバストラインから上方の部分は、脇の上に向かってカーブを描くように形成されている。また、脇側後見頃２ｂのバストラインから上方の部分も、脇の上に向かってカーブを描くように形成されている。
【００２５】
上記実施形態の上衣は、袖が付いており、この袖は、図５に示すように、山袖部４ａと下袖部４ｂの２つのパーツによって形成されている。
【００２６】
下袖部４ｂの脇下部分には、図４に示すように、二の腕のたるみに合わせてダーツ５を設けている。図５に示す下袖部４ｂの脇下部分には、ダーツ５を設ける三角形の切り込みを形成している。
【符号の説明】
【００２７】
１ａ  センター側前見頃
１ｂ  脇側前見頃
２ａ  センター側後見頃
２ｂ  脇側後見頃
３  脇見頃
４ａ  山袖部
４ｂ  下袖部
５  ダーツ
【図１】
0003150107.tif 000003
【図２】
0003150107.tif 000004
【図３】
0003150107.tif 000005
【図４】
0003150107.tif 000006
【図５】
0003150107.tif 000007
【図６】
0003150107.tif 000008
【図７】
0003150107.tif 000009
【図８】
0003150107.tif 000010
【図９】
0003150107.tif 000011
【図１０】
0003150107.tif 000012
【図１１】
0003150107.tif 000013
【図１２】
0003150107.tif 000014
【図１３】
0003150107.tif 000015
【図１４】
0003150107.tif 000016